(57)【要約】【課題】良好な送風特性を得ながら、簡単な構成で用途に応じた送風量を得ることができる除電装置を提供する。【解決手段】除電装置は、吸気口１１と送風口としてのルーバが対向して設けられるケーシング１３と、吸気口１１とルーバとの間にそれらの対向方向に回転軸が沿うように設けられるファンと、ファンよりルーバ側に設けられる放電針とを備える。又、吸気口１１に対して着脱自在に取り付けられるカバー部材２と、カバー部材２によって吸気口１１とカバー部材２との間に挟持され、外部から吸気口１１を介してケーシング１３内へ向かう塵埃の侵入を阻止するための防塵フィルタ部材３と、カバー部材２によって吸気口１１とカバー部材２との間に防塵フィルタ部材３と送風方向に並んで挟持され、ファンの回転軸を中心とする周方向に空気通過部４ａと空気遮断部４ｂとが一定のパターンを繰り返すように形成された風量調整用遮蔽板４とを備える。【選択図】図２
2011054346.tif 000002
【特許請求の範囲】
【請求項１】
それぞれ外部と連通する吸気口と送風口とが対向して設けられるケーシングと、
前記ケーシング内の前記吸気口と前記送風口との間に、それらの対向方向に回転軸が沿うように設けられ、該回転軸線方向に沿って空気を流すためのファンと、
前記ケーシング内の前記ファンより前記送風口側に設けられる放電針と
を備え、前記放電針に高電圧を印加してコロナ放電を発生させて周囲の空気をイオン化し、該イオン化された空気を前記ファンにて前記送風口から吹き出す除電装置であって、
前記吸気口の外部との連通を確保しながらも前記吸気口に対して設けられるカバー部材と、
前記カバー部材によって前記吸気口と前記カバー部材との間に保持可能とされ、前記ファンの回転軸を中心とする周方向に空気通過部と空気遮断部とが一定のパターンを繰り返すように形成された風量調整用遮蔽板と
を備えたことを特徴とする除電装置。
【請求項２】
請求項１に記載の除電装置において、
前記カバー部材によって前記吸気口と前記カバー部材との間に前記風量調整用遮蔽板と送風方向に並んで保持可能とされ、外部から前記吸気口を介して前記ケーシング内へ向かう塵埃の侵入を阻止するための防塵フィルタ部材を備えたことを特徴とする除電装置。
【請求項３】
請求項２に記載の除電装置において、
前記風量調整用遮蔽板は、前記防塵フィルタ部材より前記送風口側に保持されたことを特徴とする除電装置。
【発明の詳細な説明】
【技術分野】
【０００１】
本発明は、例えば、各種電子部品等の除電対象物の静電気を除去するための除電装置に関するものである。
【背景技術】
【０００２】
従来、ケーシング内にファンを備え、ファンの軸方向からファンを挟むように吸気口と送風口とをケーシングに設け、ファンより送風口側に設けられる放電針に高電圧を印加してコロナ放電を発生させて周囲の空気をイオン化し、該イオン化された空気をファン（その送風動作）により送風口から吹き出す除電装置がある。
【０００３】
このような除電装置においては、通常、除電時間を短くするために、高速の回転数でファンを駆動している。しかしながら、除電対象物が様々であるため、通常（高速）の回転数でファンを駆動すると、薄物や小型軽量の除電対象物においては、吹き飛んでしまったり、波打ってしまうといった好ましくない現象が生じることがある。
【０００４】
そこで、例えば、電気的にファンの回転数を制御することで送風量を変更可能としたものがある。
又、例えば、吸気口と該吸気口と直交する方向に開口した送風口を有するケーシング内にシロッコファンを備えた除電装置においては、吸気口に対して摺動自在な風量調整プレートが装着され、該風量調整プレートを摺動させて吸気口を一方向から塞いでいきその開度を調整することで送風量を変更可能としたものがある（例えば、特許文献１参照）。
【先行技術文献】
【特許文献】
【０００５】
【特許文献１】特開２００２−１５１２９３号公報
【発明の概要】
【発明が解決しようとする課題】
【０００６】
しかしながら、上記のように電気的にファンの回転数を制御する除電装置では、電気回路が複雑化する上、ファン（その駆動源のモータ）自体の仕様範囲があり、送風量の変更範囲に限界がある。よって、用途に応じた送風量を得ることができないといった問題がある。尚、勿論、仕様範囲、ひいては送風量の変更範囲の広いファンを使用することも考えられるが、その場合ファンが高額化してしまう。
【０００７】
又、上記のように風量調整プレートを備えた除電装置では、風量調整プレートを摺動自在とするための機構が必要になり構造が複雑化してしまうという問題がある。又、吸気口と送風口とがファンを挟んで対向して設けられるものにおいて、風量調整プレートを組み合わせた場合、風量調整プレートを摺動させて吸気口を一方向から部分的に塞いで開度を調整すると、送風特性が大きく変わってしまう、詳しくは、送風範囲が大きく変わってしまったり、送風範囲内で送風量に大きなむらが発生するといった虞がある。
【０００８】
本発明は、上記課題を解決するためになされたものであって、その目的は、良好な送風特性を得ながら、簡単な構成で用途に応じた送風量を得ることができる除電装置を提供することにある。
【課題を解決するための手段】
【０００９】
上記課題を解決するために、請求項１に記載の発明では、それぞれ外部と連通する吸気口と送風口とが対向して設けられるケーシングと、前記ケーシング内の前記吸気口と前記送風口との間に、それらの対向方向に回転軸が沿うように設けられ、該回転軸線方向に沿って空気を流すためのファンと、前記ケーシング内の前記ファンより前記送風口側に設けられる放電針とを備え、前記放電針に高電圧を印加してコロナ放電を発生させて周囲の空気をイオン化し、該イオン化された空気を前記ファンにて前記送風口から吹き出す除電装置であって、前記吸気口の外部との連通を確保しながらも前記吸気口に対して設けられるカバー部材と、前記カバー部材によって前記吸気口と前記カバー部材との間に保持可能とされ、前記ファンの回転軸を中心とする周方向に空気通過部と空気遮断部とが一定のパターンを繰り返すように形成された風量調整用遮蔽板とを備えたことを要旨とする。
【００１０】
同構成によれば、風量調整用遮蔽板を取り外す（保持を解除して非保持状態とする）、又は風量調整用遮蔽板の種類を変更することで、送風量を大きく変更することができ、用途に応じた送風量を容易に得ることができる。又、風量調整用遮蔽板はカバー部材によって保持されるため、例えば、摺動自在とするための機構を設ける必要がなく、更に、風量調整用遮蔽板とケーシング間に互いに係合する係止部（係止爪等）を別途設けるといった必要がないため、簡単な構成とすることができる。更に、風量調整用遮蔽板は、ファンの回転軸を中心とする周方向に空気通過部と空気遮断部とが一定のパターンを繰り返すように形成されたものであるため、送風量を変更した場合（取り付けた場合や取り外した場合や種類を変更した場合）でも、送風範囲の変更を少なく、且つ送風範囲内での送風量のむらを小さくすることができ、ひいては良好な送風特性を維持することができる。
【００１１】
請求項２に記載の発明では、請求項１に記載の除電装置において、前記カバー部材によって前記吸気口と前記カバー部材との間に前記風量調整用遮蔽板と送風方向に並んで保持可能とされ、外部から前記吸気口を介して前記ケーシング内へ向かう塵埃の侵入を阻止するための防塵フィルタ部材を備えたことを要旨とする。
【００１２】
同構成によれば、風量調整用遮蔽板を保持可能なカバー部材は、防塵フィルタ部材を保持するものと共用となるため、防塵フィルタ部材を備えつつも部品点数の増大を防止して、簡単な構成とすることができる。
【００１３】
請求項３に記載の発明では、請求項２に記載の除電装置において、前記風量調整用遮蔽板は、前記防塵フィルタ部材より前記送風口側に保持されたことを要旨とする。
同構成によれば、風量調整用遮蔽板は、防塵フィルタ部材より送風口側、即ちケーシングの内部側に保持されるため、外部からの塵埃に晒されることが防止され、防塵フィルタ部材よりケーシングの外部側に保持された場合に比べて、汚れてしまうことが低減される。
【発明の効果】
【００１４】
本発明によれば、良好な送風特性を得ながら、簡単な構成で用途に応じた送風量を得ることができる除電装置を提供することができる。
【図面の簡単な説明】
【００１５】
【図１】本実施形態における除電装置の斜視図。
【図２】本実施の形態における除電装置の一部分解斜視図。
【図３】本実施形態における除電装置の一部を分解して並べた背面図。
【発明を実施するための形態】
【００１６】
以下、本発明を具体化した一実施形態を図１〜図３に従って説明する。
本実施の形態の除電装置は、図２及び図３に示すように、除電装置本体１と、カバー部材２と、防塵フィルタ部材３と、風量調整用遮蔽板４とを備える。
【００１７】
除電装置本体１は、図２に示すように、後方側で外部と連通する吸気口１１と、図１に示すように、前方側（除電対象物に向けられる側）で外部と連通するように設けられた（固定された）送風口としてのルーバ１２とが対向して設けられる箱状のケーシング１３を備える。尚、本実施の形態の吸気口１１及び送風口としてのルーバ１２は、共に全体が円形に形成されるとともに、放射状に延びる放射部１１ａ，１２ａと径が異なる複数の環状部１１ｂ，１２ｂとを有し、該放射部１１ａ，１２ａ及び環状部１１ｂ，１２ｂにて形成される隙間を空気が前後方向（送風方向）に通過可能とされている。
【００１８】
ケーシング１３の内部において前方側（除電対象物に向けられる側）には、図３に示すように、前後方向から見て前記吸気口１１及びルーバ１２の円形の範囲内で放射状に延びる（本実施の形態では８本の）放電針１４が設けられている。
【００１９】
又、ケーシング１３の内部において放電針１４の後方側には、図３に示すように、前後方向から見て前記吸気口１１及びルーバ１２の円形の範囲内で回転駆動されるファン１５が設けられている。このファン１５は、前記吸気口１１と前記ルーバ１２との間に、それらの対向方向に回転軸（図示略）が沿うように設けられ、回転駆動されると回転軸線Ｌ方向に沿って空気を流すものである。尚、本実施の形態の除電装置本体１は、設置台２１を介して除電対象物と対応した位置に設置される。この設置台２１は、設置基部２１ａと、その設置基部２１ａの両端から屈曲して（上方に）延びてケーシング１３の左右側面を挟むアーム２１ｂとを有し、それらアーム２１ｂの先端部に除電装置本体１（ケーシング１３）が左右方向に沿った軸中心に傾動可能に支持されている。
【００２０】
カバー部材２は、吸気口１１の外部との連通を確保しながらもケーシング１３（その吸気口１１）に対して着脱自在に取り付けられる。詳しくは、まずケーシング１３において前記吸気口１１が形成された後方端面に隣接した周面には、上下一対の係合部１３ａ（図２中、上側の一方のみ図示）と、左右一対の係止凹部１３ｂ（図２中、一つのみ図示）とが形成されている。一方、カバー部材２は、ケーシング１３の後方端面の外縁に対応した（対向する）平面状の縁部２ａと、その縁部２ａの外縁全体から屈曲して延びケーシング１３の後方端面に隣接した周面に外嵌可能な枠部２ｂとを有する。そして、その枠部２ｂには、前記係合部１３ａと左右方向に係合する上下一対の係合凸部２ｃ（図２中、上側の一方のみ図示）と、前記係止凹部１３ｂと上下方向及び前後方向（送風方向）に係合してカバー部材２をケーシング１３（その吸気口１１）に対して着脱自在に係止する左右一対の係止爪２ｄとが形成されている。又、カバー部材２において、縁部２ａの内側には、放射状に延びる放射部２ｅと径が異なる複数の環状部２ｆとが形成され、それらにて形成される隙間を空気が前後方向（送風方向）に通過可能とされ、吸気口１１の外部との連通が確保される。
【００２１】
防塵フィルタ部材３は、空気の通過を許容しつつ塵埃の通過を阻止する材料よりなり、ケーシング１３の吸気口１１が形成された後方端面に対応した略４角形に形成され、前記吸気口１１と重ならない四隅に切り欠きが形成されている。防塵フィルタ部材３は、前記カバー部材２がケーシング１３（その吸気口１１）に対して取り付けられた状態で該カバー部材２によって吸気口１１とカバー部材２との（前後方向であって送風方向の）間に挟持され、外部から吸気口１１を介してケーシング１３内へ向かう塵埃の侵入を吸気口１１の手前で阻止する。
【００２２】
風量調整用遮蔽板４は、板状の樹脂材料よりなり、その外形が防塵フィルタ部材３と同様に、ケーシング１３の吸気口１１が形成された後方端面に対応した略４角形に形成され、前記吸気口１１と重ならない四隅に切り欠きが形成されている。風量調整用遮蔽板４は、カバー部材２がケーシング１３（その吸気口１１）に対して取り付けられた状態で該カバー部材２によって吸気口１１とカバー部材２との（前後方向であって送風方向の）間に防塵フィルタ部材３と送風方向に並んで（重ねられて）挟持される。尚、本実施の形態では、風量調整用遮蔽板４は、防塵フィルタ部材３よりルーバ１２側、即ち送風方向の前方側であってケーシング１３の内部側に保持される。そして、この風量調整用遮蔽板４には、前記ファン１５の回転軸（前記回転軸線Ｌ（図３参照））を中心とする周方向に空気通過部４ａ（板厚方向に貫通する孔）と空気遮断部４ｂとが（本実施の形態では８個ずつ）一定のパターンを繰り返すように形成されている。詳しくは、本実施の形態の空気通過部４ａは、同形状に形成されたものが周方向に等角度間隔で形成されている。又、空気通過部４ａは、その径方向外側端部の位置（回転軸線Ｌからの距離）が前記吸気口１１の径方向外側端部の位置（回転軸線Ｌからの距離）と一致するように形成されている。又、本実施の形態の空気通過部４ａは、その周方向の幅が径方向外側に向かうほど広く形成されている。又、本実施の形態の空気通過部４ａは、その周方向の幅が前記空気遮断部４ｂの周方向の幅より小さく形成されている。
【００２３】
このように構成された除電装置では、図示しない高電圧発生回路にて発生された高電圧が放電針１４に印加されるとともにファン１５に駆動電流が供給されると、放電針１４にてコロナ放電が発生されて周囲の空気がイオン化され、該イオン化された空気がファン１５（その送風動作）にてルーバ１２から吹き出される。尚、このとき、空気は、ファン１５の送風動作によって、後方側の外部からカバー部材２、防塵フィルタ部材３、風量調整用遮蔽板４（空気通過部４ａ）、吸気口１１及び放電針１４の周囲を介してルーバ１２から吹き出される。
【００２４】
次に、上記実施の形態の特徴的な作用効果を以下に記載する。
（１）吸気口１１（ケーシング１３）に対してカバー部材２を取り外して風量調整用遮蔽板４を取り外す（保持を解除して非保持状態とする）、又は風量調整用遮蔽板４の種類を変更することで、送風量を大きく変更することができ、用途に応じた送風量を容易に得ることができる。又、風量調整用遮蔽板４はカバー部材２によって保持されるため、例えば、摺動自在とするための機構を設ける必要がなく、更に、風量調整用遮蔽板４とケーシング１３間に互いに係合する係止部（係止爪等）を別途設けるといった必要がないため、簡単な構成とすることができる。更に、風量調整用遮蔽板４は、ファン１５の回転軸（回転軸線Ｌ）を中心とする周方向に空気通過部４ａと空気遮断部４ｂとが（本実施の形態では８個ずつ）一定のパターンを繰り返すように形成されたものであるため、送風量を変更した場合（取り付けた場合や取り外した場合や種類を変更した場合）でも、送風範囲の変更を少なく、且つ送風範囲内での送風量のむらを小さくすることができ、ひいては良好な送風特性を維持することができる。
【００２５】
（２）風量調整用遮蔽板４を保持可能なカバー部材２は、防塵フィルタ部材３を保持するものと共用となるため、防塵フィルタ部材３を備えつつも部品点数の増大を防止して、簡単な構成とすることができる。
【００２６】
（３）風量調整用遮蔽板４は、防塵フィルタ部材３よりルーバ１２側、即ちケーシング１３の内部側に保持されるため、外部からの塵埃に晒されることが防止され、防塵フィルタ部材３よりケーシング１３の外部側に保持された場合に比べて、汚れてしまうことが低減される。
【００２７】
上記実施の形態は、以下のように変更してもよい。
・上記実施の形態の風量調整用遮蔽板４は、ファン１５の能力や用途（除電対象物）に応じて空気通過部４ａ及び空気遮断部４ｂの形状を変更してもよい。例えば、上記実施の形態の風量調整用遮蔽板４は、ファン１５の回転軸（回転軸線Ｌ）を中心とする周方向に空気通過部４ａと空気遮断部４ｂとが８個ずつ一定のパターンを繰り返すように形成されるとしたが、それらの繰り返す数を変更してもよい。但し、送風範囲が大きく変わってしまわないことや、送風範囲内で送風量（送風速度）に大きなむらが発生してしまわない要件を満たすべく、空気通過部４ａと空気遮断部４ｂは、少なくとも周方向に２個ずつ一定のパターンを繰り返すように形成する必要がある。又、空気通過部４ａの周方向の幅にもよるが、空気通過部４ａと空気遮断部４ｂは、少なくとも周方向に３個ずつ一定のパターンを繰り返すように形成することが好ましく、更には少なくとも４個ずつ一定のパターンを繰り返すように形成することがより好ましい。尚、空気通過部４ａと空気遮断部４ｂを、一定のパターンを繰り返すように形成するとともに、それらの面積が同じとなるように形成してもよく、このようにすると、空気の通過量をむらなく（風量調整用遮蔽板を取り外した状態に比べて）半分にすることができる。又、空気通過部４ａは、径方向に分割された形状（径方向中間部に空気遮断部が形成された形状）としてもよい。
【００２８】
・上記実施の形態では、カバー部材２は、吸気口１１（ケーシング１３）に対して着脱自在に設けられるとしたが、これに限定されず、例えば、上記実施の形態の一方（左右一対の内の一方）の係止凹部１３ｂと一方（左右一対の内の一方）の係止爪２ｄとの位置に、カバー部材２を吸気口１１（ケーシング１３）に対して開閉自在に支持するヒンジ部を設けて実施してもよい。
【００２９】
・上記実施の形態では、風量調整用遮蔽板４は、防塵フィルタ部材３よりルーバ１２側、即ちケーシング１３の内部側に保持されるとしたが、これに限定されず、防塵フィルタ部材３よりケーシング１３の外部側に保持されるようにしてもよい。又、用途に応じて防塵フィルタ部材３を備えていない除電装置として実施してもよい。
【符号の説明】
【００３０】
２…カバー部材、３…防塵フィルタ部材、４…風量調整用遮蔽板、４ａ…空気通過部、４ｂ…空気遮断部、１１…吸気口、１２…ルーバ（送風口）、１３…ケーシング、１４…放電針、１５…ファン。
【図１】
2011054346.tif 000003
【図２】
2011054346.tif 000004
【図３】
2011054346.tif 000005